(57)【要約】【課題】日光による明かりを活用して暗さを低減でき且つ日焼けなどを招くおれが少ないと共に、組立や施工が容易な屋根ユニットを提供する。【解決手段】一端の凸形部と他端の凹形部とを含む偏平な断面を有する複数の単位パネル１と、上記凸形部または凹形部を一端に有し且つ他端に固定部を有する偏平な断面を有する一対の固定用パネル２０，２６と、係る固定用パネル２０，２６の固定部２１間に固定される透明または半透明の採光パネル３０と、を含み、上記複数の単位パネル１同士および単位パネル１と固定用パネル２０，２６とを、それらの凸形部と凹形部とを嵌合して、上記各断面に沿った幅方向に接続し、係る接続がされ且つ対向する一対の固定用パネル２０，２６の固定部２１間にまたがって、上記採光パネル３０が固定される、屋根ユニットＵ。【選択図】  図１
2006097256.tif 000002
【特許請求の範囲】
【請求項１】
一端の凸形部と他端の凹形部とを含む偏平な断面を有する複数の単位パネルと、
上記凸形部または凹形部を一端に有し且つ他端に固定部を有し且つ偏平な断面を有する一対または一対以上の固定用パネルと、
上記対となる固定用パネルの固定部間に固定される透明または半透明の採光パネルと、を含み、
上記複数の単位パネル同士および単位パネルと固定用パネルとを、それらの凸形部と凹形部とを嵌合して、上記各断面に沿った幅方向に接続し、
上記接続がされ且つ対向する一対の固定用パネル同士の固定部間にまたがって、上記採光パネルが固定される、
ことを特徴とする屋根ユニット。
【請求項２】
前記接続された複数の単位パネルおよび前記対となる固定用パネルの上面と、前記採光パネルの上面とは、ほぼ面一とされる、
ことを特徴とする請求項１に記載の屋根ユニット。
【請求項３】
前記採光パネルは、幅広の平坦面と、その両端に位置する一対の縦片と、各縦片の下端から上記平坦面とほぼ平行に延びる一対のフランジと、からなる偏平なハット形の断面を有する共に、
上記採光パネルが固定される前記固定用パネルの固定部は、前記断面の他端に設けた上向きの凹溝とその直下の中空部とからなり、
上記採光パネルの平坦面の両端における縦片とフランジとを、上記凹溝に挿入し且つ上記フランジを当該凹溝の底面にネジ止めする、
ことを特徴とする請求項１または２に記載の屋根ユニット。
【請求項４】
前記固定用パネルにおける固定部の凹溝内において、当該凹溝に挿入され且つネジ止めされる前記採光パネルのフランジの上方に、上記固定用パネルおよび前記単位パネルの上面とほぼ面一になるようにしてシール材が充填される、
ことを特徴とする請求項３に記載の屋根ユニット。
【請求項５】
前記単位パネルおよび前記固定用パネルは、アルミニウム合金の押出形材からなる、
ことを特徴とする請求項１乃至４の何れか一項に記載の屋根ユニット。
【請求項６】
前記採光パネルは、透明または半透明のポリカーボネート、透明または半透明のアクリル樹脂、透明ガラスまたは半透明のガラスの何れかからなる、
ことを特徴とする請求項１乃至５の何れか一項に記載の屋根ユニット。
【請求項７】
前記複数の単位パネルのうち最下部に位置する単位パネルの軒元側には、単位パネル、前記一対の固定用パネル、および前記採光パネルの上面を流下した雨水を集水する軒樋が取り付けられる、
ことを特徴とする請求項１乃至６の何れか一項に記載の屋根ユニット。
【発明の詳細な説明】
【技術分野】
【０００１】
本発明は、例えばバス停留所やカーポートなどの上方を覆うため、複数の支柱の上端に取り付けられる独立形式の屋根ユニットに関する。
【背景技術】
【０００２】
これまで、バス停留所やカーポートなどの上方を覆う屋根ユニットとしては、アルミニウム合金の押出形材からなる棟形材と、その両側にそれぞれ対称で斜め下向きに接続される同様な押出形材からなる複数の斜面用形材と、により構成する屋根ユニットが提案されている（例えば、特許文献１参照）。
一方、一対の平行な軒桁の間に、円弧形を呈する複数の垂木を介して、係る垂木と同様にカーブした透明な樹脂からなる屋根パネルを複数枚取り付けたバス停留所用シェルタなどの組立建物も提案されている（例えば、特許文献２参照）。
【０００３】
【特許文献１】特開２０００−３２８７０６号公報（第１〜１３頁、図３）
【特許文献２】特開２０００−１７０２５４号公報（第１〜７頁、図１）
【０００４】
しかしながら、前記特許文献１に記載の屋根ユニットによれば、全てがアルミニウム合金の押出形材から形成されているため、雨水および日光を確実に遮断できる反面、晴天時はもとより、特に曇天や雨天時には、当該屋根ユニットの下方が暗くなり易く、冬季には暗さに加えて寒さも募り易くなる。このため、照明器具やその配線の取付を必要とし、コスト高になる、という問題があった。
一方、前記特許文献２に記載のバス停留所用シェルタによれば、透明な屋根パネルを日光が透過するため、バスを待っている利用者にとって、まぶしいだけでなく、日焼けや甚だしくは熱中症を招来しかねないと共に、直射日光に長期間にわたり曝されるため、屋根パネル自体が劣化し易くなる、という問題があった。
【発明の開示】
【発明が解決しようとする課題】
【０００５】
本発明は、前記背景技術における問題点を解決し、日光による明かりを活用して暗さを低減でき且つ日焼けなどを招くおれが少ないと共に、組立や施工が容易な屋根ユニットを提供する、ことを課題とする。
【課題を解決するための手段および発明の効果】
【０００６】
本発明は、上記課題を解決するため、
即ち、本発明の屋根ユニット（請求項１）は、一端の凸形部と他端の凹形部とを含む偏平な断面を有する複数の単位パネルと、上記凸形部または凹形部を一端に有し且つ他端に固定部を有し且つ偏平な断面を有する一対または一対以上の固定用パネルと、係る対となる固定用パネルの固定部間に固定される透明または半透明の採光パネルと、を含み、上記複数の単位パネル同士および単位パネルと固定用パネルとを、それらの凸形部と凹形部とを嵌合して、上記各断面に沿った幅方向に接続し、係る接続がされ且つ対向する一対の固定用パネル同士の固定部間にまたがって、上記採光パネルが固定される、ことを特徴とする。
【０００７】
これによれば、複数の単位パネル同士および単位パネルと固定用パネルとは、それらの凸形部と凹形部とを嵌合して接続することにより、所要広さの屋根面を形成できると共に、接続されて対向する一対の固定用パネル同士の固定部間にまたがって、上記採光パネルが固定された屋根ユニットとなる。このため、日光が採光パネルを透過して地表付近を明るくするため、係る屋根ユニットをバス停留所に適用した場合、利用者には、四季を通じてまぶしくない程度の明るさが得られ、且つ夏季にも日焼けや熱中症などに至るおそれを低減することができる。
しかも、上記各パネルの凸形部と凹形部とを嵌合して組立られるため、施工を容易且つ短期間に行うことも可能となる。
尚、前記各パネルは、予め凹形部に塗布した接着剤を介して、それらの凸形部および凹形部を嵌合と同時に接着しても良い。係る接着剤には、防水性と耐候性とを兼ね備えたものを用いることで、雨水の漏水を長期間にわたり防ぐことができる。また、採光パネルの幅は、例えば、その１枚が単位パネルの実質的な幅（凸形部の頂面から凹形部の底面までの距離）の整数倍で用いられ、その取り付け枚数も１枚に限らず、同じ幅寸法または異なる幅寸法の２枚以上を互いに離隔させつつ単一の屋根ユニットに取り付けることも可能である。加えて、前記屋根ユニットは、現場での施工後において全体に水勾配が付される。
【０００８】
また、本発明には、前記接続された複数の単位パネルおよび前記対となる固定用パネルの上面と、前記採光パネルの上面とは、ほぼ面一とされる、屋根ユニット（請求項２）も含まれる。
これによれば、複数の単位パネルの上面および一対以上の固定用パネルの上面がほぼ面一となるため、単一の平坦な屋根面を有し且つ意匠性に優れた屋根ユニットとすることができる。尚、本発明の屋根ユニットの形状は、片流れに限らず、断面がほぼへ字形でその両端に前記凹部を有する棟部材を用いることで、切妻または招き形にすることも可能である。あるいは、断面がほぼＶ字形でその両端に前記凸形部などを有する軒元部材を用いて、バタフライにすることも可能である。
【０００９】
更に、本発明には、前記採光パネルは、幅広の平坦面と、その両端に位置する一対の縦片と、各縦片の下端から上記平坦面とほぼ平行に延びる一対のフランジと、からなる偏平なハット形の断面を有する共に、上記採光パネルが固定される前記固定用パネルの固定部は、前記断面の他端に設けた上向きの凹溝とその直下の中空部とからなり、上記採光パネルの平坦面の両端における縦片とフランジとを、上記凹溝に挿入し且つ上記フランジを当該凹溝の底面にネジ止めする、屋根ユニット（請求項３）も含まれる。
これによれば、前記接続がされ且つ対向する一対の固定用パネルの各固定部に、採光パネルの断面方向における両端に位置する縦片およびフランジをそれぞれ挿入し、係るフランジから上記中空部に向けてネジをネジ込むことで、採光パネルを精度良くして容易且つ迅速に固定することができる。しかも、万一ネジ部から雨水が浸入しても中空部から当該固定部の両端に排水でき、雨漏りを防止できる。
【００１０】
また、本発明には、前記固定用パネルにおける固定部の凹溝内において、当該凹溝に挿入され且つネジ止めされる前記採光パネルのフランジの上方に、上記固定用パネルおよび前記単位パネルの上面とほぼ面一になるようにしてシール材が充填される、屋根ユニット（請求項４）も含まれる。
これによれば、採光パネルの断面方向の両端における縦片およびフランジと隣接する固定用パネルとの間がシール材を介してほぼ面一となるため、採光パネル付近における雨水の漏水を確実に防止できると共に、前記各パネルの上面を雨水が流下し易くなり、且つ屋根ユニット全体の意匠も良好にすることができる。また、万一シール材が劣化し雨水がネジ部から浸入しても、固定部の中空部から両端の妻側に排水できるため、雨漏りを確実に防止できる。
【００１１】
更に、本発明には、前記単位パネルおよび前記固定用パネルは、アルミニウム合金の押出形材からなる、屋根ユニット（請求項５）も含まれる。
これによれば、単位パネル同士および単位パネルと固定用パネルとの凹部および凸部を形状および寸法精度良く形成できるため、係るパネル同士の凹形部と凸形部との嵌合を容易に行える。しかも、対となる固定パネルの各固定部における凹溝と中空部も精度良く形成されるため、採光パネルの縦片およびフランジを上記凹部に挿入し且つその底面でネジ止めすることも容易となる。
【００１２】
また、本発明には、前記採光パネルは、透明または半透明のポリカーボネート、透明または半透明のアクリル樹脂、透明または半透明のガラスの何れかからなる、屋根ユニット（請求項６）も含まれる。
これによれば、屋根ユニットを用いる地方や地勢や環境などに応じて、あるいは周囲の環境との調和に対応して、透明な採光パネルや任意の透光度を有する半透明の採光パネルを一部に含む屋根ユニットを得ることができる。尚、上記半透明の採光パネルには、全体が均一な曇り面のものの他、各種の模様を全体または一部に施したものも含まれる。また、上記ガラスには、強化ガラスも含まれる。
【００１３】
加えて、本発明には、前記複数の単位パネルのうち最下部に位置する単位パネルの軒元側には、単位パネル、前記一対の固定用パネル、および前記採光パネルの上面を流下した雨水を集水する軒樋が取り付けられる、屋根ユニット（請求項７）も含まれる。
これによれば、複数の単位パネルおよび上記固定用パネルに落下した雨水を、上記軒樋に集水し、係る軒樋に接続する縦樋や鎖などを介して、地表に排水することができる。このため、係る屋根ユニットの下方にたたずむ利用者が、雨水に不用意に濡れる事態を回避することが可能となる。
付言すれば、上記最下部に位置する単位パネルの軒元側に位置する前記凹形部に凸形部が嵌合して固定される複数のブラケット（金物）を介して、上記軒樋が取り付けられる、屋根ユニットとすることもできる。これによる場合、軒樋の取付を容易且つ強度をもって行うことが可能となる。尚、上記ブラケットには、凸形部を含む所要の断面形状を有する押出形材を、短尺に切断したものを用いる。
【発明を実施するための最良の形態】
【００１４】
以下において、本発明を実施するための最良の形態について説明する。
図１は、本発明の屋根ユニットＵを用いたバスまたは路面電車の停留所を、斜め前方から見た姿図、図２は、上記停留所を、斜め後方から見た姿図である。
上記停留所は、地表ＧＬから高く形成されたプラットフォームＨ上に左右２本の支柱Ｐを立設し、各支柱Ｐの上端から斜め上方に延びる梁Ｋに固定した図示しない垂木を介して、屋根ユニットＵを図示しないボルトなどで固定している。
片流れの屋根ユニットＵは、図１，図２に示すように、互いに接続される複数の単位パネル１と、これらの単位パネル１と接続される一対の対向し且つ離隔する固定用パネル２０，２６と、係る固定用パネル２０，２６の間にまたがって固定される採光パネル３０と、を含む。上記各パネル１，２０，２６，３０を含む屋根ユニットＵの全体が、施工後において傾斜する水勾配を付されている。尚、図１，図２において、軒元側の単位パネル１は、図示の数よりも多く用いられる。
【００１５】
上記各パネル１，２０，２６，３０は、それぞれ長手方向を屋根ユニットＵにおける両端の妻側−妻側の方向と平行にして配置される。
因みに、図１，図２に示す屋根ユニットＵは、妻−妻側方向の長さが約５メートルで、且つ軒先（最上部）・軒元（最下部）方向の幅が約２メートルである。
尚、図１，図２に示すように、軒先側の最上部に位置する単位パネル１の軒先面には、軒先化粧材３５が、上記各パネル１，２０，２６，３０の長手方向の両端には、断面ほぼコ字形の妻部化粧材６０が、軒元側で最下部の単位パネル１の軒元面側には、複数のブラケット５０を介して、軒樋４０が取り付けられる。係る軒樋４０には、各支柱Ｐに沿って取り付けた図示しない縦樋が接続される。
【００１６】
単位パネル１は、アルミニウム合金（例えば、ＪＩＳ  Ａ６０６３−Ｔ５）の押出形材からなり、図３に示すように、押出方向と直交する断面が偏平なほぼ矩形を呈し、平坦な上面板２ａ，下面板２ｂと、これらのほぼ中央を連結する仕切壁３と、係る仕切壁３の両側に位置する中空部４，５と、両端の凸形部６，凹形部１０と、を図示の前後方向の全長に沿って有する。上面板２ａは、下面板２ｂに対して、図示で右側から左側に沿ってやや離れるように僅かに傾斜している。
また、図３で右端（一端）に位置する凸形部６は、その厚み方向のほぼ中央に位置する凸条７と、その上下に隣接する屈曲片８と、下側の屈曲片８の下端と下面板２ｂとの間に位置する断面ほぼＬ字形の段部９と、を有する。
【００１７】
更に、図３にて左端（他端）に位置する凹形部１０は、上記凸形部６と嵌合可能であり、その厚み方向の中央に位置する凹溝１４と、その上下に隣接する屈曲片１２と、上側の屈曲片１２の上端から延びる水切片１１と、下側の屈曲片１２の下端から延びる断面ほぼＬ字形の樋部１６を有する。水切片１１と樋部１６とは、上面板２ａ，下面板２ｂとそれぞれ平行に突設され、樋部１６の上面は、樋面１８となっている。
因みに、単位パネル１は、妻−妻側方向の長さが約５メートル、軒先・軒元方向の実質的な幅ｗ（凸形部６の凸条７の頂面から凹形部１０の凹溝１４の底面までの距離）が約１２０ｍｍ（最大３００ｍｍ）、厚みが約３０ｍｍである。
【００１８】
屋根ユニットＵで軒先側に位置する固定用パネル２０は、前記同様の押出形材からなり、図４に示すように、押出方向と直交する断面が偏平なほぼ矩形を呈し、前記同様の上面板２ａ，下面板２ｂ、仕切壁３、中空部４，５、および図示で右端（一端）に位置する凸形部６を備え、更に、図示で左端（他端）に位置する固定部２１を、図示の前後方向の沿って有する。上記固定部２１は、断面が長方形の中空部２３を内設する角形部２２と、その外壁から立設する縦壁２４と、係る縦壁２４の内側に位置する上向きの凹溝２５とからなる。
一方、屋根ユニットＵで軒元側に位置する固定用パネル２６も、前記同様の押出形材からなり、図５に示すように、押出方向と直交する断面が偏平なほぼ矩形を呈し、前記同様の上面板２ａ，下面板２ｂ、仕切壁３、中空部４，５、および図示で左端（他端）に位置する凹形部１０を備えると共に、図示で右端（一端）に前記と同じ固定部２１を、図示の前後方向の全長に沿って有する。
尚、固定用パネル２０，２６は、単位パネル１と同様のサイズである。
【００１９】
図１中のＸａ−Ｘｂの矢視に沿った断面のうち、軒先側であるＸａ寄りの断面を図６に示す。屋根ユニットＵで軒先側の最上部に位置する単位パネル１の凹形部１０には、固定用パネル２０の凸形部６が、図示しない接着剤を介して嵌合される。即ち、図６の中程に示すように、凹形部１０の凹溝１４に凸形部６の凸条７が嵌合し、凹形部１０の各屈曲片１２に凸形部６の各屈曲片８が隣接すると共に、凸形部６の段部９に凹形部１０の樋部１６が進入し、両者の間に樋面１８が位置する。係る樋面１８は、上記接着剤が経年変化で劣化して万一破れた場合に、凸・凹形部６，１０間を浸透した雨水を単位パネル１の妻側に排水する。
【００２０】
尚、最上部に位置する単位パネル１の軒先面側には、図６の右側に示すように、軒先化粧材３５が固定される。係る軒先化粧材３５は、前記同様の押出形材からなり、化粧板３６と、これから直角で互いに平行に延びる固定片３７，３８と、これらに囲まれた凹部３９と、を図示の前後方向に沿って有する。
上記軒先化粧材３５は、その凹部３９に単位パネル１の凸形部６を挿入し、上側の固定片３７から隣接する上面板２ａに向けて、ブラインドリベットｒをシール材（図示せず）を介して打ち込むことにより、単位パネル１に固定される。
【００２１】
また、固定用パネル２０の固定部２１には、図６，図７に示すように、採光パネル３０の一端が固定される。尚、図７は、図１中のＸａ−Ｘｂの矢視に沿った断面のうち、軒先側と軒元側とのほぼ中間における断面を示す。
採光パネル３０は、例えば、透明なポリカーボーネートからなり、図７に示すように、幅広な平坦面３２と、その両端から直角に垂下する一対の縦片３３と、各縦片３３の下端から平坦面３２と平行に外側に延びる一対のフランジ３４とからなるほぼハット形の断面を、図示の前後方向の全長に沿って有する。係る採光パネル３０の平坦面３２の幅は、例えば２４０ｍｍまたは３６０ｍｍで、単位パネル１の前記幅ｗの２倍または３倍（整数倍）である。
図６，図７に示すように、採光パネル３０の軒先側の端部に位置する縦片３３とフランジ３４とを、固定用パネル２０の固定部２１における凹溝２５に挿入し、上記フランジ３４を凹溝２５の底面に固定すべく、ネジｎを中空部２３に向ってネジ込む。固定されたフランジ３４の上方における凹溝２５には、シリコン系のシール材Ｓが充填される。係るシール材Ｓの上面は、固定用パネル２０の上面板２ａや採光パネル３０の平坦面３２の上面と面一とされる。
【００２２】
図１中のＸａ−Ｘｂの矢視に沿った断面のうち、軒元側であるＸｂ寄りの断面を図８に示す。屋根ユニットＵの軒元側では、最下部に位置する単位パネル１を含む複数枚の単位パネル１が、それぞれの凸形部６と凹形部１０とを前記同様に嵌合して接続される。これらの複数枚の単位パネル１のうちで軒先寄りの単位パネル１における凸形部６には、図８の中程に示すように、前記固定パネル２０と対となる固定用パネル２６の凹形部１０が前記同様に嵌合して接続される。
図７，図８に示すように、採光パネル３０の軒元側の端部に位置する縦片３３とフランジ３４とを、固定用パネル２６の固定部２１における凹溝２５に挿入し、ネジｎをフランジ３４から中空部２３に向ってネジ込むと共に、固定されたフランジ３４の上方における凹溝２５には、シリコン系のシール材Ｓが充填される。係るシール材Ｓの上面も、前記単位パネル１や固定用パネル２６の上面板２ａや採光パネル３０の平坦面３２の上面と面一とされる。
【００２３】
図２および図８の左側に示すように、前記複数枚の単位パネル１のうち、最下部に位置する単位パネル１の軒元面側の凹形部１０には、複数のブラケット（金物）５０が図示の前後方向に沿って、互いに間隔を置いて固定される。
ブラケット５０は、前記同様の押出形材を押出方向に沿って短尺に切断しものである。係るブラケット５０は、図８に示すように、単位パネル１の凹形部１０における屈曲部１２，１２に当接する凸片５２，５２を有するコ形部５１、その上端から後方に延びる上面板５３、その後端から斜め下方に延びる傾斜板５４、コ形部５１の下端から延びるＬ形片５５、その後端から後方に延びる下面板５８、および、傾斜板５４と下面板５８との交点から後方に延びる固定片５９を、一体に有する。また、Ｌ形片５５の中間には、突起５６が垂下している。
【００２４】
図８に示すように、ブラケット５０のコ形部５１を単位パネル１の凹形部１０の内側に挿入し、且つ屈曲部１２，１２に凸片５２，５２を当接した状態で、長めのネジＮを凹形部１０の凹溝１４にネジ込むことで、当該ブラケット５０を単位パネル１の凹形部１０側に固定する。この際、各ブラケット５０の突起５６は、凹形部１０における樋部１６の樋面１８に当接する。
次いで、単位パネル１の凹形部１０側および複数個のブラケット５０にまたがって、図８に示す断面を有する軒樋４０を取り付ける。
係る軒樋４０は、前記同様の押出形材または合成樹脂の押出成形材からなり、図８に示すように、単位パネル１の下面板２ｂと平行な樋板４１、係る樋板４１から斜め前方に立ち上がる傾斜板４３、および樋板４１の後端から立設する化粧板４２と、これらに囲まれた樋部４４と、を備えている。
【００２５】
図８に示すように、軒樋４０における傾斜板４３の上端には、縦片４５および横片４６が形成され、係る横片４６は、単位パネル１の下面板２ｂに添接され且つブラインドリベットｒにより固定される。尚、横片４６を省略し、縦片４５の上端を下面板２ｂに当接し、縦片４５と下面板２ｂとの間に図示しないアングル片を配置し、係るアングル片を介して上記リベットｒにより固定しても良い。
また、軒樋４０における化粧板４２の上端には、Ｌ形片４８が位置し、そのやや下側で且つ単位パネル１寄りの内側面には、水平片４７が突出し、係る水平片４７は、ブラケット５０の固定片５９と面接触する。図８の左側示すように、水平片４７から固定片５９に向かってネジｎをネジ込むことで、軒樋４０を複数個のブラケット５０を介して、単位パネル１の軒元側に沿って取り付けられる。
【００２６】
尚、軒樋４０には、前記図１，図２に示した支柱Ｐ，Ｐに沿って取り付ける図示しない縦樋が接続されるか、図示しない鎖が両端部付近から垂らされる。また、前記各単位パネル１、固定用パネル２０，２６、および採光パネル３０の妻側の両端部には、前記図１，図２に示した妻側化粧材６０が固定される。
以上の片流れの屋根ユニットＵによれば、軽量なアルミニウム合金の押出形材からなる複数の単位パネル１と固定用パネル２０，２６とを、それらの凸形部６と凹形部１０とを嵌合・接着して容易に単一面に接続できると共に、対向する一対の固定用パネル２０，２６間にまたがって採光パネル３０を容易且つ防水性をもって固定できる。このため、施工を正確・容易で短期間に行うことができる。
【００２７】
また、雨水は、複数の単位パネル１、固定用パネル２０，２６、および採光パネル３０にわたる面一な上面を流下した後、軒樋４０に集水されて排水される。しかも、前記シール材Ｓが経年変化で劣化し、万一雨水が固定部２１の凹溝２５内のネジｎ付近から浸透しても、中空部２３を介して固定部２１の両端部に排水できるため、雨漏りを確実に防止できる。
更に、採光パネル３０は、平面視で当該屋根ユニットＵの面積における１０〜数１０％を占めるため、利用者にとって四季を通じてまぶしくない程度の明るさが得られ、且つ夏季などの日焼けや熱中症などに至るおそれも低減可能となる。尚、採光パネル３０の面積は、屋根ユニットＵ全体の約５〜５０％で選択される。
【００２８】
図９は、異なる形態の単位パネル６１の断面図、図１０，図１１は、異なる形態の一対の固定用パネル７０，７１の断面図を示し、これらは、前記採光パネル３０と共に、後述する異なる形態の片流れの屋根ユニットＵ′に用いられる。
単位パネル６１は、前記同様の押出形材からなり、図９に示すように、押出方向と直交する断面が偏平なほぼ矩形を呈し、平坦な上面板６２ａ，下面板６２ｂ、これらを中間で連結する仕切壁６４、係る仕切壁６４の両側に位置する一対の中空部６３、図示で右端（一端）に位置する凸形部６５、および図示で左端（他端）に位置する凹形部７２を、図示の前後方向の全長に沿って有する。
上記凸形部６５は、図９の右側に示すように、断面ほぼコ字形の凸条６６と、その上下の基端に位置する一対の細溝６７と、これらの外側にて上・下面板６２ａ，６２ｂから平行に延びる一対の凸片６８と、を備えている。
また、凹形部７２は、図９の左側に示すように、断面ほぼコ字形の凹溝７３と、その両側で上・下面板６２ａ，６２ｂから平行に延びる一対の厚肉片７４と、それらの先端の内側から延びる一対の細凸片７４ａと、を備えている。
【００２９】
更に、軒先側に用いる単位パネル７０も前記同様の押出形材からなり、図１０に示すように、前記同様の上・下面板６２ａ，６２ｂ、中空部６３、仕切壁６４を有すると共に、その右端（一端）に前記と同じ凸形部６５を、左端（他端）に固定部７５を、それぞれ図示の前後方向の全長に沿って有する。固定部７５は、断面が長方形の中空部７７を内設する角形部７６と、その外壁から立設する縦壁７８と、係る縦壁７８の内側に位置する上向きの凹溝７９とからなる。
また、軒元側に用いる単位パネル７１も前記同様の押出形材からなり、図１１に示すように、前記同様の上・下面板６２ａ，６２ｂ、中空部６３、仕切壁６４を有すると共に、その左端（一端）に前記と同じ凹形部７２を、右端（他端）に前記と同じ固定部７５を、それぞれ図示の前後方向の全長に沿って有する。
【００３０】
図１２は、複数個の前記単位パネル６１、対向する一対の固定用パネル７０，７１、および前記同様の採光パネル３０を用いた片流れの屋根ユニットＵ′の概略を示す断面図である。尚、単位パネル６１は、図１２で示す枚数よりも多くしても良い。
即ち、屋根ユニットＵ′は、図１２に示すように、軒先（右端）側に位置する単数または複数の単位パネル６１と、係る単位パネル６１の凹形部７２に凸形部６５が嵌合して接続される軒先側の固定用パネル７０と、係る固定用パネル７０と対をなして対向する軒元側の固定用パネル７１と、係る固定用パネル７１の凹形部７２に凸形部６５が嵌合して接続される軒元（左端）側の単数または複数の単位パネル６１と、を含んでいる。尚、上記嵌合は、凹形部７２の凹溝７３に凸形部６５の凸条６６が接着剤（図示せず）を介して挿入され、且つ凸形部６５の各細溝６７に凹形部７２の各細凸片７４ａが挿入されることで成される。
【００３１】
図１２に示すように、固定用パネル７０，７１の固定部７５，７５間には、前記同様の採光パネル３０が前記同様にして固定されると共に、各固定部７５の凹溝７９内において、ネジｎで固定されたフランジ３４の上方には、シール材Ｓが前記各パネル６１，７０，７１の上面と面一となるようにそれぞれ充填される。
尚、軒先側の単位パネル６１の軒先面側には、前記軒先化粧材３５が固定され、軒元側の単位パネル６１の軒元面側には、複数の前記ブラケット５０に相当する金具を介して、前記軒樋４０がそれぞれ前記形態と同様にして取り付けられる。
以上のような屋根ユニットＵ′も、前記屋根ユニットＵと同様に施工を正確・容易で短期間に行える。施工後では、前記各パネル６１，７０，７１，３０の上面を流下した雨水を、軒樋４０に集水して外部に排水できると共に、固定部７５付近での雨漏りも防げる。更に、採光パネル３０を透過する日光により、四季を通じてまぶしくない程度の明るさが得られ、且つ夏季などの日焼けなどを防ぐことが可能となる。
【００３２】
図１３は、前記屋根ユニットＵの応用形態である屋根ユニットＵ″を含むバスなどの停留所を示す前記図１と同様な姿図である。
屋根ユニットＵ″は、図１３に示すように、互いに接続される複数の単位パネル１と、これらの単位パネル１と接続される２組（２対）の対向する固定用パネル２０，２６と、係る２組の固定用パネル２０，２６の間ごとにまたがって個別に固定される一対の採光パネル３０ａと、を含む。
係る採光パネル３０ａは、透明または半透明のポリカーボネートからなり、前記採光パネル３０の平坦面３２の幅寸法が半分で、且つ単位パネル１や固定用パネル２０，２６の前記幅ｗと同じ幅寸法である。尚、採光パネル３０ａも前記幅ｗの整数倍の幅寸法のものとしても良い。
【００３３】
図１３に示すように、２組の固定用パネル２０，２６は、互いに平行に配置され且つこれらの間には、採光パネル３０ａが前記同様に個別に固定される。
係る屋根ユニットＵ″によれば、前記屋根ユニットＵ，Ｕ′と同様な効果が得られると共に、二条の幅狭な採光パネル３０ａを分散して透過する日光により、当該屋根ユニットＵ″の下方における明暗差を少なくして均一に明るくでき、且つ日焼けなどの心配を一層抑制することが可能となる。
尚、屋根ユニットＵ″に用いる一対の採光パネル３０ａは、軒先側と軒元側とで、一方を透明に他方を半透明にしたり、半透明の度合を相違させたり、互いの平坦面３２の幅寸法を相違させても良い。また、前記屋根ユニットＵ′にも、一対またはそれ以上の採光パネル３０ａを上記と同様にして適用しても良い。
【００３４】
図１４は、棟パネル８０の断面図と、係る棟パネル８０および前記屋根ユニットＵを用いた切妻形を呈する応用形態の屋根ユニットＵ１の部分断面図である。
棟パネル８０は、前記同様の押出形材からなり、図１４に示すように、中央の頂部８１に対し左右対称に傾斜する上面体８２ａ，下面板８２ｂと、これらを連結する仕切壁８３と、係る仕切壁８３の両側に位置する対称な一対の中空部８４と、左右の各軒先側に対称に位置する一対の凹形部１０と、を図示の前後方向の全長に沿って有する。
図１４に示すように、棟パネル８０における上記一対の凹形部１０には、前記単位パネル１の凸形部６がそれぞれ嵌合して左右対称に接続される。
また、図１４で左右の外側に位置する各単位パネル１の前記凹形部１０（図示せず）の各軒先側には、前記屋根ユニットＵ，Ｕ″と同様に一対の固定用パネル２０，２６と、これらの固定部２１，２１間に固定される採光パネル３０（３０ａ）と、固定用パネル２６の凹形部１０の各軒先側に、単数または複数の単位パネル１とが接続され、全体として切妻の屋根ユニットＵ１が形成される。
【００３５】
以上のような切妻の屋根ユニットＵ１によれば、前記プラットフォームＨが平面視でほぼ正方形の場合にも適用でき、前記屋根ユニットＵ，Ｕ′，Ｕ″と同様な効果が得られると共に、採光パネル３０（３０ａ）によって、利用者に対し適度な明るさと健康さを与えることが可能となる。
尚、前記棟パネル８０の各凹形部１０を前記凹形部７２に替えることで、当該棟パネル８０の左右に前記単位パネル６１、固定用パネル７０，７１、および採光パネル３０（３０ａ）を用いた屋根ユニットＵ′を左右対称に有する切妻形の屋根ユニットを形成することもできる。また、前記棟パネル８０の左右何れの凹形部１０（７２）に、単数または複数の単位パネル１（６１）のみを接続することにより、招き形の屋根ユニットを形成することも可能である。
【００３６】
本発明は、以上において説明した各形態に限定されるものではない。
例えば、前記単位パネル１，６１は、軒先側を凹形部１０，７２とし、軒元側を凸形部６，６５としても良い。また、これに応じて、前記固定用パネル２０，２１の凸形部６と凹形部１０との位置を置き換えたり、前記固定用パネル７０，７１の凸形部６５と凹形部７２との位置を置き換えても良い。更に、前記棟パネル８０における左右の凹形部１０を凸形部６に置き換え、これに上記置き換えた単位パネル１，６１を嵌合して接続するようにしても良い。
また、前記棟パネル８０を上下逆にして、断面が偏平なほぼＶ字形の軒元パネルとし、係る軒元パネルの左右において、左右対称に上向きに傾斜して、前記単位パネル１，６１、前記固定用パネル２０，２１，７０，７１、および採光パネル３０，３０ａを接続して、前記屋根ユニットＵ，Ｕ′，Ｕ″を左右対称に有するバタフライ形の屋根ユニットを形成することも可能である。
尚、本発明の屋根ユニットは、建物の庇、建物間の連絡通路の屋根、カーポートの屋根、または公園などの休憩所の屋根などにも適用することが可能である。
【図面の簡単な説明】
【００３７】
【図１】本発明の屋根ユニットを用いた停留所を斜め前方から示す姿図。
【図２】上記停留所を斜め後方から示す姿図。
【図３】上記屋根ユニットに用いる単位パネルの断面図。
【図４】上記屋根ユニットに用いる一方の固定用パネルの断面図。
【図５】上記屋根ユニットに用いる他方の固定用パネルの断面図。
【図６】図１中のＸａ−Ｘｂの矢視に沿った断面のうちＸａ寄りの断面図。
【図７】図１中のＸａ−Ｘｂの矢視に沿った断面のうち中程の断面図。
【図８】図１中のＸａ−Ｘｂの矢視に沿った断面のうちＸｂ寄りの断面図。
【図９】異なる形態の単位パネルを示す断面図。
【図１０】異なる形態で且つ一方の固定用パネルを示す断面図。
【図１１】異なる形態で且つ他方の固定用パネルを示す断面図。
【図１２】上記単位パネルと一対の固定用パネルとを用いた異なる形態の屋根ユニットの概略を示す断面図。
【図１３】前記屋根ユニットの応用形態の屋根ユニットなどを示す姿図。
【図１４】棟パネルとこれを用いた応用形態の屋根ユニットを示す断面図。
【符号の説明】
【００３８】
１，６１……………………単位パネル
６，６５……………………凸形部
１０，７２…………………凹形部
２０，２６，７０，７１…固定用パネル
２１，７５…………………固定部
２３，７７…………………中空部
２５，７９…………………凹溝
３０，３０ａ………………採光パネル
３２…………………………平坦面
３３…………………………縦片
３４…………………………フランジ
４０…………………………軒樋
Ｕ，Ｕ′，Ｕ″，Ｕ１……屋根ユニット
Ｓ……………………………シール材
ｎ……………………………ネジ
【図１】
2006097256.tif 000003
【図２】
2006097256.tif 000004
【図３】
2006097256.tif 000005
【図４】
2006097256.tif 000006
【図５】
2006097256.tif 000007
【図６】
2006097256.tif 000008
【図７】
2006097256.tif 000009
【図８】
2006097256.tif 000010
【図９】
2006097256.tif 000011
【図１０】
2006097256.tif 000012
【図１１】
2006097256.tif 000013
【図１２】
2006097256.tif 000014
【図１３】
2006097256.tif 000015
【図１４】
2006097256.tif 000016